【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
ホスト装置に無線ドッキングするためのドッキー装置であって、
前記ホスト装置は、少なくとも１つの周辺機器に結合され、
前記ドッキー装置は、
無線通信を収容するためのドッキー通信ユニットと、
少なくとも１つの実際の周辺機器へのアクセスを得るために前記ホスト装置に無線ドッキングするドッキープロセッサと、を有し、
前記ドッキープロセッサは、
仮想ドッキング環境において、仮想的な周辺機器にプライバシーレベルを割り当てることによって構成される周辺機器プライバシーレベルを持つ少なくとも１つの仮想的な周辺機器を供給し、
前記プライバシーレベルは、前記ドッキー装置のユーザと、各周辺機器へのアクセスを有する他人との間の関係を示す秘密レベルを規定し、
ドッキングする場合に、前記少なくとも１つの仮想的な周辺機器を、前記少なくとも１つの実際の周辺機器にマッピングし、前記マッピングは、前記少なくとも１つの実際の周辺機器に周辺機器プライバシーレベルを割り当てることを有し、
ドッキングされる場合に、前記周辺機器プライバシーレベルに従って、前記少なくとも１つの実際の周辺機器とのデータ転送を制御する、ドッキー装置。
【請求項２】
前記ドッキープロセッサは、前記プライバシーレベルを割り当てることによって前記仮想的な周辺機器を構成することを可能にし、及び／又は、ユーザが、各周辺機器によって度のデータが転送される、及び／又は、レンダリングされるかを知覚することを可能にする、前記仮想的なドッキング環境を表示するためのユーザインタフェースを供給する、請求項１記載の装置。
【請求項３】
前記プライバシーレベルは、パブリックレベル、グループレベル、パーソナルレベル、プライベートレベルのうちの少なくとも１つを有するセットから選択される、請求項１記載の装置。
【請求項４】
前記ドッキープロセッサは、
同一の所定タイプの複数の仮想的な周辺機器を供給し、前記複数の仮想的な周辺機器の各々が、それぞれ異なる周辺機器プライバシーレベルを持ち、
ドッキングされる場合に、前記それぞれ異なる周辺機器プライバシーレベルに従って、異なる実際の周辺機器の各々への前記データ転送を制御する、請求項１記載の装置。
【請求項５】
前記仮想的な周辺機器は、
仮想ディスプレイスクリーン、
仮想オーディオ装置、
仮想カメラ装置、
のうちの１つである所定のタイプから選択される、請求項１記載の装置。
【請求項６】
前記ドッキープロセッサは、
パブリックプレゼンテーションスクリーン、
パーソナルプレゼンテーションスクリーン、
プライベートディスプレイスクリーン、
グループ協働スクリーン、
のうちの１つを構成する周辺機器プライバシーレベルを持つ前記仮想ディスプレイスクリーン、又は、
パブリックオーディオ設備、
グループオーディオ設備、
パーソナルオーディオ設備、
プライベートオーディオ装置、
プライベートオーディオレコーダ、
オーディオサイレンサ、
のうちの１つを構成する周辺機器プライバシーレベルを持つ前記仮想オーディオ装置、又は、
パブリックカメラ、
グループカメラ、
パーソナルカメラ、
プライベートカメラ、
のうちの１つを構成する周辺機器プライバシーレベルを持つ前記仮想カメラ装置、を供給する、請求項５記載の装置。
【請求項７】
前記仮想的な周辺機器は、仮想共有メモリであり、前記ドッキープロセッサは、
ドッキングする場合に、前記少なくとも１つの仮想共有メモリを、前記少なくとも１つの実際の周辺機器として前記ホスト装置を介して供給される実際の共有メモリにマッピングし、
ドッキングされる場合に、前記周辺機器プライバシーレベルに従って、前記実際の共有メモリとのデータ転送を制御する、請求項１記載の装置。
【請求項８】
前記ドッキープロセッサは、前記ドッキー装置において選択されるデータにプライバシーレベルを割り当て、ドッキングされる場合に、前記周辺機器プライバシーレベルと前記データプライバシーレベルとに従って、前記少なくとも１つの実際の周辺機器とのデータ転送を制御する、請求項１記載の装置。
【請求項９】
前記ドッキープロセッサは、前記ドッキー装置において選択されるアプリケーションの任意のデータにプライバシーレベルを割り当て、ドッキングされる場合に、前記周辺機器プライバシーレベルと前記データプライバシーレベルとに従って、前記少なくとも１つの実際の周辺機器との前記選択されたアプリケーションのデータ転送を制御する、請求項１記載の装置。
【請求項１０】
前記ドッキープロセッサは、
前記ドッキー装置における任意のデータに所定のプライバシーレベルを自動的に割り当て、
ユーザが、前記自動的に割り当てられた所定のプライバシーレベルを、選択可能なプライバシーレベルによって、上書きできるようにするためのユーザインタフェースを供給する、請求項８又は９に記載の装置。
【請求項１１】
前記ドッキープロセッサは、前記仮想的なドッキング環境において、少なくとも１つのプレゼンテーションポリシーを供給し、前記プレゼンテーションポリシーは、
前記プレゼンテーションポリシーを選択する場合に付与されるべき選択された仮想的な周辺機器に対して、マルチメディアプレゼンテーションにおける要素のデータを割り当てること、
同じタイプであるが、前記プレゼンテーションポリシーを選択する場合に付与されるべき異なる周辺機器プライバシーレベルを持つ、それぞれ異なる仮想的な周辺機器に対して、アプリケーションによって生成されるのと同じタイプの各データを割り当てること、
前記プレゼンテーションポリシーを選択する場合に付与されるべきマッピング構成、
少なくとも１つの仮想的な周辺機器のためのプライバシーレベル割り当て、及び／又は、前記プレゼンテーションポリシーを選択する場合に付与されるべき選択されたデータ及び／又は選択されたアプリケーションのためのプライバシーレベル割り当て、
のうちの少なくとも１つを有する、請求項１記載の装置。
【請求項１２】
前記ドッキープロセッサは、前記ホスト装置から構成データを受信し、前記仮想的なドッキング環境、及び／又は、前記構成データに従った前記マッピングの構成に適応し、前記構成データは、
所定のタイプの仮想的な周辺機器を作るための指示、
所定のタイプの仮想的な周辺機器のための周辺機器プライバシーレベル、
所定のタイプのドッキングされる周辺機器のための周辺機器プライバシーレベル、
前記ドッキー装置において選択されるデータのためのデータプライバシーレベル、
前記ドッキー装置において選択されるアプリケーションの任意のデータのためのデータプライバシーレベル、
所定のプライバシーレベルを持つ所定のタイプの仮想的な周辺機器を、前記ホスト装置に結合されるような実際の周辺機器上にマッピングするためのマッピング指示、
のうちの少なくとも１つを有する、請求項１記載の装置。
【請求項１３】
請求項１２記載の前記ドッキー装置を無線ドッキングするためのホスト装置であって、前記ホスト装置は、少なくとも１つの周辺機器と結合し、前記ホスト装置は、
無線通信を収容するためのホスト通信ユニットと、
前記ドッキー装置のための前記少なくとも１つの周辺機器へのアクセスを供給するために少なくとも１つのドッキー装置をドッキングするドッキングプロセッサと、を有し、
前記ドッキングプロセッサは、構成データを供給し、前記無線通信を介して前記ドッキー装置に前記構成データを送信し、
前記構成データは、
所定のタイプの仮想的な周辺機器を作るための指示、
所定のタイプの仮想的な周辺機器のための周辺機器プライバシーレベル、
所定のタイプのドッキングされる周辺機器のための周辺機器プライバシーレベル、
前記ドッキー装置において選択されるデータのためのデータプライバシーレベル、
前記ドッキー装置において選択されるアプリケーションの任意のデータのためのデータプライバシーレベル、
所定のプライバシーレベルを持つ所定のタイプの仮想的な周辺機器を、前記ホスト装置に結合されるような実際の周辺機器上にマッピングするためのマッピング指示、
のうちの少なくとも１つを有し、
前記プライバシーレベルは、前記ドッキー装置のユーザと、各周辺機器へのアクセスを持つ他人との間の関係を示す秘密レベルを規定する、ホスト装置。
【請求項１４】
ホスト装置及びドッキー装置を無線ドッキングするための方法であって、
前記方法は、前記ドッキー装置において、
仮想的なドッキング環境において、プライバシーレベルを持つ少なくとも１つの仮想的な周辺機器を供給し、
前記ドッキー装置のユーザと、各周辺機器へのアクセスを持つ他人との間の関係を示す秘密レベルを規定するプライバシーレベルを前記仮想的な周辺機器に割り当てることによって前記仮想的な周辺機器を構成し、
ドッキングする場合に、前記少なくとも１つの仮想的な周辺機器を前記少なくとも１つの実際の周辺機器上にマッピングし、前記マッピングは、前記少なくとも１つの実際の周辺機器に対して周辺機器プライバシーレベルを割り当てることを有し、
ドッキングされる場合に、前記周辺機器プライバシーレベルに従って、前記少なくとも１つの実際の周辺機器とのデータ転送を制御する、方法。
【請求項１５】
プロセッサによって実行された場合に、前記プロセッサに、ホスト装置及びドッキー装置を無線ドッキングするための方法を実行させる、１又は複数の実行可能命令が格納された非一時的なコンピュータ読取可能媒体であって、前記方法は、前記ドッキー装置において、
仮想的なドッキング環境において、プライバシーレベルを持つ少なくとも１つの仮想的な周辺機器を供給し、
周辺機器プライベシーレベルを前記仮想的な周辺機器に割り当てることによって前記仮想的な周辺機器を構成し、
前記周辺機器プライバシーレベルは、前記ドッキー装置のユーザとそれぞれの周辺機器へのアクセスを有する他の人との間の関係を示す機密レベルを定義し、
ドッキングする場合に、少なくとも１つの実際の周辺機器に前記少なくとも１つの仮想的な周辺機器をマッピングし、前記マッピングは、前記少なくとも１つの実際の周辺機器に前記周辺機器プライバシーレベルを割り当て、
ドッキングされる場合に、前記周辺機器プライバシーレベルに従って、前記少なくとも１つの実際の周辺機器とのデータ転送を制御する、非一時的なコンピュータ読取可能媒体。